(57)【要約】【課題】映像情報と音声情報の双方が格納されているメディアを再生する際に、映像をＯＦＦして音声のみ再生することのできるプロジェクタを得る。【解決手段】映像情報および音声情報を再生して対応する映像信号および音声信号を出力する映像音声情報再生部１３０と、光を射出する光源１５０と、光源１５０から光の供給を受けて映像音声情報再生部１３０が出力する映像信号に対応した映像を投射する投射部と、映像音声情報再生部１３０が出力する音声信号に対応した音声を出力する音声出力部１７０と、操作内容に対応した操作信号を出力する操作信号処理部１１２と、操作信号に対応した制御動作を実行する制御部１２０と、を備え、制御部１２０は、映像音声情報再生部１３０が映像情報を再生しているときに所定の第１操作信号を受け取ると、光源１５０の動作を停止させる。【選択図】図１
2009278209.tif 000002
【特許請求の範囲】
【請求項１】
映像情報および音声情報を再生して対応する映像信号および音声信号を出力する映像音声情報再生部と、
光を射出する光源と、
前記光源から光の供給を受けて前記映像音声情報再生部が出力する映像信号に対応した映像を投射する投射部と、
前記映像音声情報再生部が出力する音声信号に対応した音声を出力する音声出力部と、
操作内容に対応した操作信号を出力する操作信号処理部と、
前記操作信号に対応した制御動作を実行する制御部と、
を備え、
前記制御部は、
前記映像音声情報再生部が映像情報を再生しているときに所定の第１操作信号を受け取ると、前記光源の動作を停止させる
ことを特徴とするプロジェクタ。
【請求項２】
前記制御部は、
前記映像音声情報再生部が映像情報を再生しているときに前記第１操作信号を受け取って前記光源の動作を停止させた後、所定の第２操作信号を受け取ると、
前記光源の動作を開始させる
ことを特徴とする請求項１記載のプロジェクタ。
【請求項３】
前記制御部は、
前記映像音声情報再生部が映像情報を再生しているときに前記第１操作信号を受け取ると、
前記光源の動作を停止させるとともに、前記映像音声情報再生部に映像情報の再生を停止させる
ことを特徴とする請求項２記載のプロジェクタ。
【請求項４】
前記制御部は、
前記映像音声情報再生部が映像情報を再生しているときに前記第１操作信号を受け取って前記映像音声情報再生部に映像情報の再生を停止させた後、前記第２操作信号を受け取ると、
前記映像音声情報再生部に映像情報を再生させる
ことを特徴とする請求項３記載のプロジェクタ。
【請求項５】
前記制御部は、
前記映像音声情報再生部が映像情報を再生しているときに所定の第１操作信号を受け取って前記光源の動作を停止させた後、所定の第２操作信号を受け取ると、
前記光源の動作を開始させるとともに前記光源の動作開始が完了したか否かを確認し、
前記光源の動作開始が完了したことを確認した後に、前記映像音声情報再生部に映像情報を再生させる
ことを特徴とする請求項３または請求項４記載のプロジェクタ。
【請求項６】
映像情報および音声情報を再生して対応する映像信号および音声信号を出力する映像音声情報再生部と、
光を射出する光源と、
前記光源から光の供給を受けて前記映像音声情報再生部が出力する映像信号に対応した映像を投射する投射部と、
前記映像音声情報再生部が出力する音声信号に対応した音声を出力する音声出力部と、
を備えたプロジェクタを制御する方法であって、
前記映像音声情報再生部が映像情報を再生しているときに所定の第１操作信号を受け取ると、前記光源の動作を停止させる
ことを特徴とするプロジェクタの制御方法。
【発明の詳細な説明】
【技術分野】
【０００１】
本発明は、プロジェクタおよびその制御方法に関するものである。
【背景技術】
【０００２】
従来、光ディスク再生装置に関し、特許文献１に、「音楽ＣＤを再生してスピーカから音声を鳴らすだけの場合に不要なＴＶ画面の表示を無くして操作を簡単にする」ことを目的とした技術として、「光ディスク再生装置は、音声データが記録された第１の光ディスクを再生してスピーカへ音声出力可能であるとともに、映像データが記録された第２の光ディスクを再生して外部のディスプレイ装置へ映像出力可能であり、第１の光ディスクの再生に関する操作入力状態を表示可能なディスプレイパネルを内蔵する光ディスク再生装置であって、第１及び第２の光ディスクの再生に関する少なくとも操作入力状態表示用の映像信号を外部のディスプレイ装置へ出力させる出力部と、第１の光ディスクの操作入力状態をディスプレイパネルに表示させる内蔵ディスプレイパネル表示モード、又は当該操作入力状態をディスプレイ装置に表示させる外部ディスプレイ装置表示モードのいずれかを選択できる表示モード決定部を備える。」というものが提案されている（要約）。
【０００３】
【特許文献１】特開２００５−３１７０６２号公報
【発明の開示】
【発明が解決しようとする課題】
【０００４】
上記特許文献１に記載の技術では、音楽ＣＤには映像情報が含まれていないことに鑑みて、音楽ＣＤを再生してスピーカから音声を鳴らすだけの場合に不要な画面表示を無くすことが開示されている。
しかし、例えば音楽ビデオクリップＤＶＤ（Ｄｉｇｉｔａｌ  Ｖｅｒｓａｔｉｌｅ  Ｄｉｓｋ）のようなＤＶＤコンテンツでは、ＤＶＤに映像情報と音声情報の双方が格納されている。
このようなメディアを再生する場合には、映像情報が含まれていない音楽ＣＤとは異なり、上記特許文献１に記載の技術を用いると映像と音声の双方が再生されてしまう。
【０００５】
音楽ビデオクリップＤＶＤのように映像情報と音声情報の双方が格納されているＤＶＤを再生する場合、映像をＯＦＦして音声のみを再生したいような用途も考えられるが、従来の技術ではそのような使用方法は困難であった。
【０００６】
本発明は、上記のような課題を解決するためになされたものであり、映像情報と音声情報の双方が格納されているメディアを再生する際に、映像をＯＦＦして音声のみ再生することのできるプロジェクタを得ることを目的とする。
【課題を解決するための手段】
【０００７】
本発明に係るプロジェクタは、映像情報および音声情報を再生して対応する映像信号および音声信号を出力する映像音声情報再生部と、光を射出する光源と、前記光源から光の供給を受けて前記映像音声情報再生部が出力する映像信号に対応した映像を投射する投射部と、前記映像音声情報再生部が出力する音声信号に対応した音声を出力する音声出力部と、操作内容に対応した操作信号を出力する操作信号処理部と、前記操作信号に対応した制御動作を実行する制御部と、を備え、前記制御部は、前記映像音声情報再生部が映像情報を再生しているときに所定の第１操作信号を受け取ると、前記光源の動作を停止させる。
そのため、不要な電力消費を抑制し、光源の寿命を延ばすことができる。
【０００８】
また、本発明に係るプロジェクタにおいて、前記制御部は、前記映像音声情報再生部が映像情報を再生しているときに前記第１操作信号を受け取って前記光源の動作を停止させた後、所定の第２操作信号を受け取ると、前記光源の動作を開始させる。
そのため、簡易な操作で光源のＯＮ／ＯＦＦ操作を行うことができる。
【０００９】
また、本発明に係るプロジェクタにおいて、前記制御部は、前記映像音声情報再生部が映像情報を再生しているときに前記第１操作信号を受け取ると、前記光源の動作を停止させるとともに、前記映像音声情報再生部に映像情報の再生を停止させる。
そのため、光源のＯＮ／ＯＦＦにともなって、再生音声にノイズが乗ることを防止することができる。
【００１０】
また、本発明に係るプロジェクタにおいて、前記制御部は、前記映像音声情報再生部が映像情報を再生しているときに前記第１操作信号を受け取って前記映像音声情報再生部に映像情報の再生を停止させた後、前記第２操作信号を受け取ると、前記映像音声情報再生部に映像情報を再生させる。
そのため、光源のＯＮ／ＯＦＦ操作と一体化した簡易な操作で、映像の再生を再開させることができる。
【００１１】
また、本発明に係るプロジェクタにおいて、前記制御部は、前記映像音声情報再生部が映像情報を再生しているときに所定の第１操作信号を受け取って前記光源の動作を停止させた後、所定の第２操作信号を受け取ると、前記光源の動作を開始させるとともに前記光源の動作開始が完了したか否かを確認し、前記光源の動作開始が完了したことを確認した後に、前記映像音声情報再生部に映像情報を再生させる。
そのため、光源の動作を再開させたときに、即座に映像の再生を再開させることができる。
【００１２】
また、本発明に係るプロジェクタの制御方法は、映像情報および音声情報を再生して対応する映像信号および音声信号を出力する映像音声情報再生部と、光を射出する光源と、前記光源から光の供給を受けて前記映像音声情報再生部が出力する映像信号に対応した映像を投射する投射部と、前記映像音声情報再生部が出力する音声信号に対応した音声を出力する音声出力部と、を備えたプロジェクタを制御する方法であって、前記映像音声情報再生部が映像情報を再生しているときに所定の第１操作信号を受け取ると、前記光源の動作を停止させる。
そのため、不要な電力消費を抑制し、光源の寿命を延ばすことができるように、プロジェクタを制御することができる。
【発明を実施するための最良の形態】
【００１３】
実施の形態１．
図１は、本発明の実施の形態１に係るプロジェクタ１００の機能ブロック図である。
本実施の形態１に係るプロジェクタ１００は、操作パネル１１１、操作信号処理部１１２、制御部１２０、ＤＶＤ再生部１３０、映像音声信号処理部１４０、光源１５０、液晶ライトバルブ駆動部１６１、液晶ライトバルブ１６２、投射光学系１６３、音声出力部１７０を備える。
【００１４】
操作パネル１１１は、プロジェクタ１００の本体筐体の外面に設けられ、ユーザの操作入力を受け付けるためのものである。ユーザが操作パネル１１１に配置されたキーを押下等すると、それに対応した操作信号が操作信号処理部１１３に出力される。
操作信号処理部１１２は、操作パネル１１１が出力した操作信号を受け取り、デジタル信号に変換するなどの処理を施して、制御部１２０に出力する。
【００１５】
制御部１２０は、ＤＶＤ再生部１３０、映像音声信号処理部１４０、光源１５０の動作を制御する。
制御部１２０は、その機能を実現する回路デバイスのようなハードウェアで構成することもできるし、マイコンやＣＰＵ（Ｃｅｎｔｒａｌ  Ｐｒｏｃｅｓｓｉｎｇ  Ｕｎｉｔ）のような演算装置とその動作を規定する制御プログラムで構成することもできる。
【００１６】
ＤＶＤ再生部１３０は、ＤＶＤをセットするトレーや光学ヘッドなどを適宜備え、ＤＶＤに格納されている映像情報と音声情報を読み取って、映像信号と音声信号として再生する。再生された映像信号と音声信号は、映像音声信号処理部１４０に出力される。
【００１７】
映像音声信号処理部１４０は、ＤＶＤ再生部１３０が出力する映像信号を受け取り、その映像信号と制御部１２０の指示に基づいて出力映像信号を生成して液晶ライトバルブ駆動部１６１に出力する。
また、ＤＶＤ再生部１３０が出力する音声信号を受け取り、その音声信号と制御部１２０の指示に基づいて出力音声信号を生成して音声出力部１７０に出力する。
【００１８】
光源１５０は、最終的にユーザへ表示する映像のための光源供給部であり、液晶ライトバルブ１６２に向けて光を射出する。光源１５０は、放電灯、発光ダイオード、レーザダイオードなどを用いて構成することができる。
【００１９】
液晶ライトバルブ駆動部１６１は、映像音声信号処理部１４０が出力する出力映像信号に基づいて、液晶ライトバルブ１６２を駆動する。
液晶ライトバルブ１６２は、複数の図示しない画素がマトリクス状に形成されており、液晶ライトバルブ駆動部１６１により各画素の透過率が調整されることで、光源１５０から射出された光を変調し、投射光学系１６３に向けて射出する。
液晶ライトバルブ１６２から射出された光は、投射光学系１６３によってスクリーン上に拡大投射される。
投射光学系１６３には、投射光の焦点を変更可能なフォーカス機構と、投射光の拡大率を変更可能なズーム機構とが備えられている。
【００２０】
音声出力部１７０は、例えばスピーカ等で構成され、映像音声信号処理部１４０が出力する出力音声信号に基づき、音声出力を行う。
【００２１】
本発明における「投射部」は、液晶ライトバルブ駆動部１６１、液晶ライトバルブ１６２、投射光学系１６３がこれに相当する。また、「映像音声情報再生部」は、ＤＶＤ再生部がこれに相当する。
【００２２】
以上、本実施の形態１に係るプロジェクタ１００の構成を説明した。
次に、本実施の形態１に係るプロジェクタ１００の動作を説明する。ここでは、音楽ビデオクリップＤＶＤのように、映像情報と音声情報の双方を格納しており、音声のみ聴取する場合もあるＤＶＤを再生する際の動作を例とする。
【００２３】
一般に、映像情報と音声情報の双方を格納したＤＶＤを再生する際には、映像と音声の双方を視聴する場合と、音声のみを聴取する場合とが考えられる。ユーザが音声のみを聴取したいときには、映像を再生する必要はなく、映像を再生するとかえって消費電力等の観点から好ましくない。
【００２４】
そこで、本実施の形態１に係るプロジェクタ１００は、ＤＶＤ再生中にユーザがある特定のＯＦＦ操作入力を行うことにより、光源１５０をＯＦＦして音声のみ再生する動作モードに移行する。その後、ユーザが特定のＯＮ操作入力を行うと、光源１５０を再度ＯＮして映像と音声の双方を再生する動作モードに戻る。
【００２５】
ここでいう特定ＯＦＦ操作入力および特定ＯＮ操作入力とは、例えば操作パネル１１１に備えられている特定のキーを押下する、所定順序でキーを押下する、メニューから特定の命令を実行する、といった操作入力により、上述の光源１５０のＯＮ／ＯＦＦを指示することを指す。
【００２６】
以下、ユーザが上述の特定操作入力を行った際のプロジェクタ１００の動作を、次のステップ（１）〜（５）で説明する。
【００２７】
（１）ユーザが上述の特定ＯＦＦ操作入力を行うと、その旨の操作信号が操作信号処理部１１２を介して制御部１２０に出力される。
（２）制御部１２０は、その操作信号を受け取ると、光源１５０をＯＦＦさせる処理を実行する。
（３）ＤＶＤ再生部１３０は、光源１５０がＯＦＦした後も、ＤＶＤ再生を継続する。これにより、映像がＯＦＦされる一方で、音声再生は継続される。
（４）その後、ユーザが上述の特定ＯＮ操作入力を行うと、その旨の操作信号が操作信号処理部１１２を介して制御部１２０に出力される。
（５）制御部１２０は、その操作信号を受け取ると、光源１５０をＯＮさせる処理を実行する。光源１５０がＯＮすると、ユーザが視映するための映像が再度ＯＮされる。
【００２８】
以上のように、本実施の形態１に係るプロジェクタ１００は、ＤＶＤを再生している際に光源１５０をＯＦＦすることでユーザに提示する再生映像をＯＦＦし、必要時に再度光源１５０をＯＮしてユーザに再生映像を提示する。
これにより、映像情報と音声情報の双方を格納しているＤＶＤの音声のみを再生するときは、光源１５０をＯＦＦすることで不要な電力消費を抑制し、光源１５０の寿命を延ばすことができる。
【００２９】
また、上述の動作は操作パネル１１１の操作などの簡易な操作で行うことができるのでユーザにとって便宜である。映像情報の再生を再開するときも同様である。
【００３０】
実施の形態２．
実施の形態１では、ＤＶＤ再生中に光源１５０をＯＦＦすることで、不要な電力消費を抑制することを説明した。しかし、ＤＶＤ再生中に光源１５０をＯＮ／ＯＦＦすると、再生音声にノイズが乗ってしまう場合がある。
そこで、本発明の実施の形態２では、ＤＶＤ再生中に光源１５０をＯＮ／ＯＦＦしても再生音声にノイズが乗らないようにする制御動作を説明する。なお、本実施の形態２に係るプロジェクタ１００の構成は、実施の形態１と同様であるため、説明を省略する。
【００３１】
図２は、ユーザが実施の形態１で説明した特定ＯＦＦ操作入力を行った際のプロジェクタ１００の動作フローである。以下、図２の各ステップについて説明する。
【００３２】
（Ｓ２００）
ユーザが特定ＯＦＦ操作入力を行うと、その旨の操作信号が操作信号処理部１１２を介して制御部１２０に出力される。制御部１２０は、その操作信号を受け取ると、本動作フローを開始する。
（Ｓ２０１）
制御部１２０は、ＤＶＤ再生部１３０がＤＶＤを再生中であるか否かを判定する。再生中であればステップＳ２０２へ進み、再生中でなければステップＳ２０５へ進む。
【００３３】
（Ｓ２０２）
制御部１２０は、ＤＶＤ再生部１３０に、ＤＶＤの再生を一時停止させる。
（Ｓ２０３）
制御部１２０は、光源１５０をＯＦＦさせる処理を実行する。
（Ｓ２０４）
制御部１２０は、光源１５０のＯＦＦ処理が完了した後、ＤＶＤ再生部１３０に、ＤＶＤの再生を再開させる。
（Ｓ２０５）
制御部１２０は、光源１５０をＯＦＦさせる処理を実行する。
【００３４】
図３は、ユーザが実施の形態１で説明した特定ＯＮ操作入力を行った際のプロジェクタ１００の動作フローである。以下、図３の各ステップについて説明する。
【００３５】
（Ｓ３００）
ユーザが特定ＯＮ操作入力を行うと、その旨の操作信号が操作信号処理部１１２を介して制御部１２０に出力される。制御部１２０は、その操作信号を受け取ると、本動作フローを開始する。
（Ｓ３０１）
制御部１２０は、ＤＶＤ再生部１３０がＤＶＤを再生中であるか否かを判定する。再生中であればステップＳ３０２へ進み、再生中でなければステップＳ３０５へ進む。
【００３６】
（Ｓ３０２）
制御部１２０は、ＤＶＤ再生部１３０に、ＤＶＤの再生を一時停止させる。
（Ｓ３０３）
制御部１２０は、光源１５０をＯＮさせる処理を実行する。
（Ｓ３０４）
制御部１２０は、光源１５０のＯＮ処理が完了した後、ＤＶＤ再生部１３０に、ＤＶＤの再生を再開させる。
（Ｓ３０５）
制御部１２０は、光源１５０をＯＮさせる処理を実行する。
【００３７】
図２〜図３で説明したように、本実施の形態２に係るプロジェクタ１００によれば、光源１５０のＯＮ／ＯＦＦを切り替える前後では、ＤＶＤ再生が一時的に停止されるので、光源１５０のＯＮ／ＯＦＦにともなう音声へのノイズ混入を防止することができる。
【００３８】
図４は、本実施の形態２に係るプロジェクタ１００の動作例を示すタイムチャートである。図４（ａ）はＤＶＤ再生状態、図４（ｂ）はユーザ操作とこれに伴う動作、図４（ｃ）は映像再生状態、図４（ｄ）は音声再生状態を示す。
以下、図４にしたがってプロジェクタ１００の各部動作を説明する。
【００３９】
（ａ）ＤＶＤ再生状態
（ａ．１）ユーザは、ＤＶＤ再生部１３０が備えるトレーにＤＶＤをセットし、ＤＶＤを再生させる。ＤＶＤに格納されている映像情報と音声情報が再生される。
（ａ．２）ユーザが上述の特定ＯＦＦ操作を行うと、制御部１２０はＤＶＤ再生部１３０の再生動作を一時停止させる。
【００４０】
（ａ．３）制御部１２０は、光源１５０をＯＦＦさせる処理が完了すると、ＤＶＤ再生部１３０の再生動作を再開させる。
光源１５０をＯＦＦさせる処理が完了するタイミングは、光源１５０やその他の仕様によって異なるが、図４では光源１５０のクールダウンが完了したときに光源１５０のＯＦＦ処理が完了するものとした。
具体的には、例えばクールダウンが完了するに十分な時間が経過したときに、光源１５０のＯＦＦ処理が完了したものとみなす、といった手法が考えられる。
【００４１】
（ａ．４）ユーザが上述の特定ＯＮ操作を行うと、制御部１２０はＤＶＤ再生部１３０の再生動作を、光源１５０がＯＮ完了するのに十分な時間、一時停止させる。これは、光源１５０がＯＮ完了するには一定の時間を要することによる。
（ａ．５）制御部１２０は、光源１５０をＯＮさせる処理が完了すると、ＤＶＤ再生部１３０の再生動作を再開させる。
【００４２】
（ｂ）ユーザ動作
（ｂ．１）ユーザは、操作パネル１１１を操作するなどして、上述の特定ＯＦＦ操作を行う。その旨の操作信号が操作信号処理部１１２を介して制御部１２０に出力される。
（ｂ．２）制御部１２０は、光源１５０をＯＦＦさせる処理を実行する。ここでは上記（ａ．３）で説明したように、光源１５０のクールダウンが完了したときに光源１５０のＯＦＦ処理が完了するものとする。
（ｂ．３）ユーザは、操作パネル１１１を操作するなどして、上述の特定ＯＮ操作を行う。その旨の操作信号が操作信号処理部１１２を介して制御部１２０に出力される。
（ｂ．４）制御部１２０は、光源１５０をＯＮさせる処理を実行する。光源１５０がＯＮ完了するには、上記（ａ．４）に記載のように一定の時間を要する。
（ｂ．５）制御部１２０は、上述の一定時間が経過すると、光源１５０が完全にＯＮ状態になったものとみなすことができる。
【００４３】
（ｃ）映像再生状態
（ｃ．１）初期状態では、映像情報と音声情報の双方が再生されている。
（ｃ．２）ユーザが上述の特定ＯＦＦ操作を行った後は、光源１５０がＯＦＦされ、実質的に映像再生が停止される。
このとき、映像情報の読み出しそのものを停止して映像再生処理を完全に停止してもよいが、より簡便には、映像再生を行いつつ光源１５０をＯＦＦすることで、少なくともユーザに提示される映像をＯＦＦするとよい。
なお、ユーザが上述の特定ＯＮ操作を行っても、制御部１２０は即座には映像再生を再開させず、光源１５０のＯＮ処理が完了するまで映像再生を停止させておく。
（ｃ．３）ユーザが上述の特定ＯＮ操作を行うと、光源１５０がＯＮされ、映像再生が再開される。
【００４４】
（ｄ）音声再生状態
（ｄ．１）初期状態では、映像情報と音声情報の双方が再生されている。
（ｄ．２）ユーザが上述の特定ＯＦＦ操作を行い、制御部１２０が光源１５０をＯＦＦさせる処理を実行している間は、ＤＶＤ再生の一時停止に伴って音声再生が停止される。
（ｄ．３）光源１５０のＯＦＦ処理が完了すると、ＤＶＤ再生の再開に伴って音声再生が再開される。
（ｄ．４）ユーザが上述の特定ＯＮ操作を行い、制御部１２０が光源１５０をＯＮさせる処理を実行している間は、ＤＶＤ再生の一時停止に伴って音声再生が停止される。
（ｄ．５）光源１５０のＯＮ処理が完了すると、ＤＶＤ再生の再開に伴って音声再生が再開される。
【００４５】
以上、本実施の形態２に係るプロジェクタ１００の動作例を説明した。
【００４６】
以上のように、本実施の形態２に係るプロジェクタ１００では、制御部１２０は、光源１５０のＯＮ処理またはＯＦＦ処理を行っているときは、ＤＶＤ再生部１３０のＤＶＤ再生動作を一時停止させる。
これにより、光源１５０のＯＮ／ＯＦＦ時にＤＶＤの再生音声にノイズが乗ることを防止することができるので、ユーザにとって好適な音声再生動作を提供することができる。
【００４７】
また、ＤＶＤ再生を一時停止し、その後に再生再開する動作は、光源１５０のＯＮ／ＯＦＦ操作と一体的に操作パネル１１１の操作などの簡易な操作で行うことができるので、ユーザにとって便宜である。
【００４８】
実施の形態３．
実施の形態２では、光源１５０のＯＦＦ処理が完了した後に特定ＯＮ操作を行って光源１５０を再度ＯＮする際の動作を説明した。また、光源１５０がＯＮ完了するには一定時間を要することに鑑み、制御部１２０は、特定ＯＮ操作を行ってから一定時間が経過するまで待機することとした。
【００４９】
本発明の実施の形態３では、ユーザが特定ＯＮ操作を行った後、光源１５０がＯＮ完了したか否かを確認し、ＯＮ完了が確認された後にＤＶＤ再生を再開する動作を説明する。なお、本実施の形態３に係るプロジェクタ１００の構成は、実施の形態１と同様であるため、説明を省略する。
【００５０】
図５は、本実施の形態３に係るプロジェクタ１００の動作例を示すタイムチャートである。図５（ａ）はＤＶＤ再生状態、図５（ｂ）はユーザ操作とこれに伴う動作、図５（ｃ）は映像再生状態、図５（ｄ）は音声再生状態を示す。
以下、図５にしたがってプロジェクタ１００の各部動作を説明する。
【００５１】
（ａ）ＤＶＤ再生状態
（ａ．１）ユーザは、ＤＶＤ再生部１３０が備えるトレーにＤＶＤをセットし、ＤＶＤを再生させる。ＤＶＤに格納されている映像情報と音声情報が再生される。
（ａ．２）ユーザが上述の特定ＯＦＦ操作を行うと、制御部１２０はＤＶＤ再生部１３０の再生動作を一時停止させる。
（ａ．３）図５では、下記（ｂ．３）に示すように、光源１５０のクールダウンが完了するのとほぼ同時に特定ＯＮ操作が行われている。したがって、制御部１２０は光源１５０のクールダウン完了後もＤＶＤ再生部１３０の一時停止を継続する。
（ａ．４）制御部１２０は、光源１５０をＯＮさせる処理が完了すると、ＤＶＤ再生部１３０の再生動作を再開させる。
【００５２】
（ｂ）ユーザ動作
（ｂ．１）ユーザは、操作パネル１１１を操作するなどして、上述の特定ＯＦＦ操作を行う。その旨の操作信号が操作信号処理部１１２を介して制御部１２０に出力される。
（ｂ．２）制御部１２０は、光源１５０をＯＦＦさせる処理を実行する。
（ｂ．３）図５では、光源１５０のクールダウンが完了するのとほぼ同時にユーザが操作パネル１１１を操作するなどして、上述の特定ＯＮ操作を行ったものとする。その旨の操作信号が操作信号処理部１１２を介して制御部１２０に出力される。
（ｂ．４）制御部１２０は、光源１５０をＯＮさせる処理を実行する。光源１５０がＯＮ完了するには、実施の形態２の（ａ．４）に記載のように一定の時間を要する。
また、制御部１２０は、光源１５０がＯＮ完了したか否かを、公知技術などの任意の手段を用いて確認する。光源１５０がＯＮ完了するまでは、所定時間間隔で同様の確認動作を繰り返し実行する。
（ｂ．５）制御部１２０は、光源１５０がＯＮ完了したことを確認した後は、確認動作の繰り返しを停止する。
【００５３】
（ｃ）映像再生状態
（ｃ．１）初期状態では、映像情報と音声情報の双方が再生されている。
（ｃ．２）ユーザが上述の特定ＯＦＦ操作を行った後は、光源１５０がＯＦＦされ、実質的に映像再生が停止される。
なお、ユーザが上述の特定ＯＮ操作を行っても、制御部１２０は即座には映像再生を再開させず、光源１５０のＯＮ処理が完了するまで映像再生を停止させておく。
（ｃ．３）制御部１２０は、光源１５０がＯＮ完了したことを確認すると、即座にＤＶＤ再生部１３０にＤＶＤ再生を再開させる。
【００５４】
（ｄ）音声再生状態
（ｄ．１）初期状態では、映像情報と音声情報の双方が再生されている。
（ｄ．２）ユーザが上述の特定ＯＦＦ操作を行い、制御部１２０が光源１５０をＯＦＦさせる処理を実行している間は、ＤＶＤ再生の一時停止に伴って音声再生が停止される。
（ｄ．３）図５では、光源１５０のクールダウンが完了するのとほぼ同時にユーザが上述の特定ＯＮ操作を行っている。制御部１２０が光源１５０をＯＮさせる処理を実行している間は、ＤＶＤ再生の一時停止に伴って音声再生が停止される。
（ｄ．４）制御部１２０は、光源１５０のＯＮ処理が完了したことを確認すると、即座にＤＶＤ再生部１３０にＤＶＤ再生を再開させる。ＤＶＤ再生再開にともなって、音声再生が再開される。
【００５５】
以上、本実施の形態３に係るプロジェクタ１００の動作例を説明した。
【００５６】
以上のように、本実施の形態３に係るプロジェクタ１００では、制御部１２０は、ユーザが特定ＯＮ操作を行った後、所定時間間隔で、光源１５０がＯＮ完了したか否かを確認する。また、光源１５０がＯＮ完了したことを確認した後に、ＤＶＤ再生部１３０にＤＶＤ再生を再開させる。
これにより、光源１５０がＯＮ完了した後、即座にＤＶＤ再生を再開することができるので、ＤＶＤ音声にノイズが乗ることを防止しつつ、一時停止時間を最小限に留め、ユーザの待ち時間を抑えてユーザビリティを向上させることができる。
【００５７】
実施の形態４．
以上の実施の形態１〜３では、ＤＶＤ再生部１３０を備えたプロジェクタ１００の構成を説明したが、映像情報と音声情報の双方を格納したメディアはＤＶＤに限られるものではない。即ち、これらの双方を格納したメディアを再生する機能部であれば、ＤＶＤ以外の再生機能を備えた構成を用いてもよい。
【００５８】
また、特定ＯＮ操作入力および特定ＯＦＦ操作入力は、リモコンのような遠隔操作手段を用いて行うように構成してもよい。
【００５９】
また、以上の実施の形態１〜３では、ライトバルブとして液晶ライトバルブを用いたプロジェクタを説明したが、これに限らるものではなく、ＤＭＤ（Ｄｉｇｉｔａｌ  Ｍｉｃｒｏｍｉｒｒｏｒ  Ｄｅｖｉｃｅ）を用いたプロジェクタにも適用できる。ＤＭＤは米国テキサスインスツルメンツ社の商標である。
【図面の簡単な説明】
【００６０】
【図１】実施の形態１に係るプロジェクタ１００の機能ブロック図である。
【図２】ユーザが特定ＯＦＦ操作入力を行った際の動作フローである。
【図３】ユーザが特定ＯＮ操作入力を行った際の動作フローである。
【図４】実施の形態２に係るプロジェクタ１００の動作タイムチャートである。
【図５】実施の形態３に係るプロジェクタ１００の動作タイムチャートである。
【符号の説明】
【００６１】
１００  プロジェクタ、１１１  操作パネル、１１２  操作信号処理部、１２０  制御部、１３０  ＤＶＤ再生部、１４０  映像音声信号処理部、１５０  光源、１６１  液晶ライトバルブ駆動部、１６２  液晶ライトバルブ、１６３  投射光学系、１７０  音声出力部。
【図１】
2009278209.tif 000003
【図２】
2009278209.tif 000004
【図３】
2009278209.tif 000005
【図４】
2009278209.tif 000006
【図５】
2009278209.tif 000007